(57)【要約】【課題】腐蝕した手摺支柱を、新築時の強度を保持して廉価で短期間に行なうことのできる補修工法を提供すること。【解決手段】パラペット２に斫り部２ａを形成した後、本体支柱３の腐蝕部位を切断して除去する。切断部位には、パラペット２内に埋設されたベースプレート１１に、ベースプレート１１と下面を全周溶接した一対のＬ字状の鉄筋１２、１２を配設するとともに、連結プレート１５を装着して上部支柱３ｂと埋設支柱３ｃとを連結する。二分割された連結プレート１６、１７には、それぞれ介添え板１８、１９を溶接で接合して内嵌する。介添え板１８、１９は、連結プレート１６、１７同士および連結プレート１５と上部支柱３ｂとを溶接で接合できるようにそれぞれの連結プレート１６、１７に固定する。【選択図】図２
2008063933.tif 000002
【特許請求の範囲】
【請求項１】
一部が腐蝕した既設の手摺の支柱を補修する手摺支柱の補修工法であって、
前記支柱の腐蝕部を切断して除去するとともに、切断部位には、除去されていない上部支柱と地盤に埋設されたベースプレートとを溶接接合する鉄筋部材と、二分割された連結プレートとを設置し、
二分割されたそれぞれの連結プレートには、溶接接合した介添え板を内嵌し、それぞれの介添え板を、それぞれの連結プレートから前記上部支柱に突出して配置するとともに、一方の介添え板を、他方の連結プレート側に突出して配置し、それぞれの連結プレートを前記切断部位に挿入した状態で、それぞれの連結プレートの合わせ面、それぞれの連結プレートと前記上部支柱との間、及びそれぞれの連結プレートと前記地盤との間、を溶接接合することによって、新築時の支柱と同様の強度を保持可能とすることを特徴とする手摺支柱の補修工法。
【請求項２】
一部が腐蝕した既設の手摺の支柱を補修する手摺支柱の補修工法であって、
前記支柱の腐蝕部を切断して除去するとともに、切断部位には、除去されていない上部支柱と地盤とを溶接接合するコンクリートアンカーと、前記上部支柱の下方に挿入する２分割された連結プレートとを設置し、
二分割されたそれぞれの連結プレートには、溶接接合した介添え板を内嵌し、それぞれの介添え板を、それぞれの連結プレートから前記上部支柱に突出して配置するとともに、一方の介添え板を、他方の連結プレート側に突出して配置し、それぞれの連結プレートを前記切断部位に挿入した状態で、それぞれの連結プレートの合わせ面、それぞれの連結プレートと前記上部支柱との間、及びそれぞれの連結プレートと前記地盤との間、を溶接接合することによって、新築時の支柱と同様の強度を保持可能とすることを特徴とする手摺支柱の補修工法。
【請求項３】
一部が腐蝕した既設の手摺の支柱を補修する手摺支柱の補修工法であって、
前記支柱の腐蝕部を切断して除去するとともに、切断部位には、除去されていない上部支柱と地盤に埋設されたベースプレートとを溶接接合する鉄筋部材と、二分割された連結プレートとを設置し、
それぞれの連結プレートを前記切断部位に挿入した状態で、それぞれの連結プレートの合わせ面、それぞれの連結プレートと前記上部支柱との間、及びそれぞれの連結プレートと前記地盤との間、を溶接接合することによって、新築時の支柱と同様の強度を保持可能とすることを特徴とする手摺支柱の補修工法。
【請求項４】
一部が腐蝕した既設の手摺の支柱を補修する手摺支柱の補修工法であって、
前記支柱の腐蝕部を切断して除去するとともに、切断部位には、除去されていない上部支柱と地盤とを溶接接合するコンクリートアンカーと、前記上部支柱の下方に挿入する２分割された連結プレートとを設置し、
それぞれの連結プレートの合わせ面、それぞれの連結プレートと前記上部支柱との間、及びそれぞれの連結プレートと前記地盤との間、を溶接接合することによって、新築時の支柱と同様の強度を保持可能とすることを特徴とする手摺支柱の補修工法。
【請求項５】
前記支柱が角筒状に形成され、前記連結プレートがコ字状に形成されていることを特徴とする請求項１，２，３又は４のいずれかに記載の手摺支柱の補修工法。
【請求項６】
前記支柱の一部に、前記支柱にかかる断面二次モーメントの中立軸の位置に孔を穿設して、前記孔から液状の強化材を注入することを特徴とする請求項１，２，３，４又は５のいずれかに記載の手摺支柱の補修工法。
【請求項７】
前記連結プレートの下端部には丸棒状の鉄筋を巻き付けて全周にわたって溶接を行うことを特徴とする請求項１，２，３，４，５又は６のいずれかに記載の手摺支柱の補修工法。
【請求項８】
一部が腐蝕した既設の手摺の支柱を補修する手摺支柱の補修工法であって、
前記支柱の根元部周りに前記腐蝕部に全周にわたって丸棒状の鉄筋を巻き付けて溶接することを特徴とする手摺支柱の補修工法。
【発明の詳細な説明】
【技術分野】
【０００１】
本発明は腐蝕した手摺支柱を原形に復旧する手摺支柱の補修工法に関する。この手摺支柱は、例えば、既設のマンションや住宅のベランダに設置する手摺支柱又は橋梁の手摺支柱に適応する。
【背景技術】
【０００２】
一般にマンションや集合住宅にはベランダが設置され、ベランダには危険防止のために手摺支柱が配置されている。図１に示すように、手摺支柱１は、通常、ベランダの床面（パラペット）２から立設されている角筒状や円筒状の本体支柱３と、本体支柱３から水平方向に延設する手摺７及び下部梁部材８を有して形成されている。この手摺支柱１は、屋外に設置されるものであるから、雨水による影響、強風による疲労等により老化して腐蝕しやすくなる。腐蝕する箇所としては本体支柱３の根元部から上方にかけた部位に多く発生している。
【０００３】
近年、マンションや集合住宅等で設備の安全性が問われることが多く、マンションの手摺支柱についても調査が行われている。これによると、その根元部から腐蝕している本体支柱は約３５〜４０％にも達しているとのことである。本体支柱を補修する場合、全面的に取り替えることは費用がかかりすぎるために、廉価で短期間で補修できる補修方法が望まれていた。
【０００４】
従来においては、廉価で短期間に補修できる補修工法が特許文献１に示されている。これによると、手摺支柱は中空部材の管体で形成され、長年、風雨に晒されているために老化して腐蝕されることが多い。その腐蝕部から雨水が浸入して管内に溜まってしまうと、さらに腐蝕が進行してしまう。従って、特許文献１においては、中空支柱の根元部に所定の大きさの孔を穿設し、管内の水を抜き取った後で、穿設した孔から硬化性樹脂を注入して補強するようにしている。これによって、廉価で短期間での補修工事を行うことができていた。
【特許文献１】特開２００５−２１３７４０公報
【発明の開示】
【発明が解決しようとする課題】
【０００５】
しかし、特許文献１に示されている補修工法は、管体内に硬化性樹脂を注入して補強を施しているものの、中空部材の腐蝕した部位を除去するものではない。腐蝕の度合いが大きいものは、補修後に再び雨水に晒された腐食部位がさらに腐蝕を進行させて、補強していない他の部位まで進行させる虞れが生じていた。そのために、補修後の耐久性にも影響を及ぼすこととなっていた。
【課題を解決するための手段】
【０００６】
本発明は、上述の課題を解決するものであり、腐蝕の度合いの大きいものでは腐蝕部位を完全に取り除いて長寿命化させるとともに廉価な費用で短期間に補修できる手摺支柱の補修工法を提供することを目的とし、そのために、以下のように行うものである。すなわち、
請求項１記載の発明では、一部が腐蝕した既設の手摺の支柱を補修する手摺支柱の補修工法であって、前記支柱の腐蝕部を切断して除去するとともに、切断部位には、除去されていない上部支柱と地盤に埋設されたベースプレートとを溶接接合する鉄筋部材と、二分割された連結プレートとを設置し、二分割されたそれぞれの連結プレートには、溶接接合した介添え板を内嵌し、それぞれの介添え板を、それぞれの連結プレートから前記上部支柱に突出して配置するとともに、一方の介添え板を、他方の連結プレート側に突出して配置し、それぞれの連結プレートを前記切断部位に挿入した状態で、それぞれの連結プレートの合わせ面、それぞれの連結プレートと前記上部支柱との間、及びそれぞれの連結プレートと前記地盤との間、を溶接接合することによって、新築時の支柱と同様の強度を保持可能とすることを特徴とするものである。
【０００７】
請求項２記載の発明では、一部が腐蝕した既設の手摺の支柱を補修する手摺支柱の補修工法であって、前記支柱の腐蝕部を切断して除去するとともに、切断部位には、除去されていない上部支柱と地盤とを溶接接合するコンクリートアンカーと、前記上部支柱の下方に挿入する２分割された連結プレートとを設置し、二分割されたそれぞれの連結プレートには、溶接接合した介添え板を内嵌し、それぞれの介添え板を、それぞれの連結プレートから前記上部支柱に突出して配置するとともに、一方の介添え板を、他方の連結プレート側に突出して配置し、それぞれの連結プレートを前記切断部位に挿入した状態で、それぞれの連結プレートの合わせ面、それぞれの連結プレートと前記上部支柱との間、及びそれぞれの連結プレートと前記地盤との間、を溶接接合することによって、新築時の支柱と同様の強度を保持可能とすることを特徴とするものである。
【０００８】
請求項３記載の発明では、一部が腐蝕した既設の手摺の支柱を補修する手摺支柱の補修工法であって、前記支柱の腐蝕部を切断して除去するとともに、切断部位には、除去されていない上部支柱と地盤に埋設されたベースプレートとを溶接接合する鉄筋部材と、二分割された連結プレートとを設置し、それぞれの連結プレートを前記切断部位に挿入した状態で、それぞれの連結プレートの合わせ面、それぞれの連結プレートと前記上部支柱との間、及びそれぞれの連結プレートと前記地盤との間、を溶接接合することによって、新築時の支柱と同様の強度を保持可能とする事を特徴とするものである。
【０００９】
請求項４記載の発明では、一部が腐蝕した既設の手摺の支柱を補修する手摺支柱の補修工法であって、前記支柱の腐蝕部を切断して除去するとともに、切断部位には、除去されていない上部支柱と地盤とを溶接接合するコンクリートアンカーと、前記上部支柱の下方に挿入する２分割された連結プレートとを設置し、それぞれの連結プレートの合わせ面、それぞれの連結プレートと前記上部支柱との間、及びそれぞれの連結プレートと前記地盤との間、を溶接接合することによって、新築時の支柱と同様の強度を保持可能とすることを特徴とするものである。
【００１０】
請求項５記載の発明では、前記支柱が角筒状に形成され、前記連結プレートがコ字状に形成されていることを特徴としている。
【００１１】
請求項６記載の発明では、前記支柱の一部に、前記支柱にかかる断面二次モーメントの中立軸の位置に孔を穿設して、前記孔から液状の強化材を注入することを特徴としている。
【００１２】
請求項７記載の発明では、前記連結プレートの下端部には丸棒状の鉄筋を巻き付けて全周にわたって溶接を行うことを特徴としている。
【００１３】
請求項８記載の発明では、一部が腐蝕した既設の手摺の支柱を補修する手摺支柱の補修工法であって、前記支柱の根元部周りに前記腐蝕部に全周にわたって丸棒状の鉄筋を巻き付けて溶接することを特徴とするものである。
【発明の効果】
【００１４】
本願発明によれば、腐蝕された部位を切断するとともに切断部位に補強部材及び二分割に形成された連結プレートを設置する。ベースプレートが地盤に埋設されている場合には、補強部材としての鉄筋がベースプレートと本体支柱の上部支柱とを接合し、それぞれの連結プレート同士及び連結プレートと上部支柱と溶接にて接合することによって、それぞれの介添え板は上部支柱と接合するとともに二分割された連結プレート同士を強固に接合することとなる。これによって、補修された支柱は新築時の強度を保持することができる。
【００１５】
また、地盤にベースプレートが埋設されていない場合には、補強部材としてのコンクリートアンカーが地盤と本体支柱の上部支柱とを接合し、それぞれの連結プレート同士及び連結プレートと上部支柱と溶接にて接合することによって、それぞれの介添え板は上部支柱と接合するとともに二分割された連結プレート同士を強固に接合することとなる。これによって、補修された支柱は新築時の強度を保持することができる。
【００１６】
また、切断された部位に補強部材と連結プレートとを接合することによって手摺支柱を全面的に交換する必要がなく廉価に短期間で補修できる。
【００１７】
なお、この手摺支柱が角筒状に形成されていても、円筒状に形成されていてもよい。
【００１８】
また、支柱に発生した腐食が軽度なものについては、腐蝕部位を切断することなく、丸棒状の鉄筋を巻き付けて全周溶接することから、さらに廉価でしかも短期間で補修をすることができる。
【００１９】
さらに、本願発明においては、前述の介添え板を削除して、切断部位に二分割された連結プレートを挿入してその周りを溶接にて接合するようにしてもよい。
【発明を実施するための最良の形態】
【００２０】
次に、本発明の手摺支柱の補修工法の一形態を図面に基づいて説明する。以下においては、手摺支柱は、マンション等の集合住宅のベランダで使用しているものを対象に説明するものであるが、これに限定するものではなく、例えば、橋梁の手摺支柱でも適応できるものである。
【００２１】
図１は、一般的な手摺支柱を示すものであり、図１で示すように、手摺支柱１は、地盤として形成されるベランダのパラペット２から立設する角筒状の本体支柱３と、本体支柱３から支持部５を介して上部で水平方向に延設する手摺７と下部横梁部材８とを備えている。手摺７と下部横梁部材８との間には、通常、縦梁部材９が複数本配置されて、落下防止の役目をしている。この本体支柱３の下部には根元部から有間隔で上方の部位まで腐蝕された腐蝕部３ａが形成されている。この腐蝕部３ａは、腐蝕度合いが進行して危険度が高くなっている。
【００２２】
図２〜３は、第１の形態の補修工法を斜視図で示してわかりやすく説明したものであり、図４〜６はその各面を示したものである。第１の形態の補修工法は、本体支柱３の腐蝕部３ａを切断して補強部材を配置し、さらに連結プレート１５を装着して溶接にて原形に復旧させようとするものである。
【００２３】
まず、パラペット２における本体支柱３の根元部周りを斫りして斫り部２ａを形成すると、斫り部２ａには図示しない埋め込みボックスが現れる。次に、本体支柱３の根元部から腐蝕部３ａの上端より上方の位置で本体支柱３を切断する。この状態では、本体支柱３は、上部に除去されない本体支柱（以下、上部支柱という。）３ｂと下部に埋め込まれた本体支柱（以下、埋設支柱という。）３ｃとが残される。上部支柱３ｂは手摺７と下部横梁部材８に支持された状態にある。
【００２４】
本体支柱３内には長年にわたって載積された錆がたまっていることから、埋設支柱３ｃ内の錆を叩きながら掃除機で除去する。
【００２５】
パラペット２内にベースプレート１１が存在している場合、Ｌ字状の２本の鉄筋１２、１２を埋設支柱３ｃ内に挿通してベースプレート１１の上面から上部支柱３ｂ内に延設するように立設する。２本の鉄筋１２、１２を結ぶ線の両外寸法を、後述の連結プレート１６、１７を上部支柱３ｂ内に内嵌した後、介添え板１８、１９の内幅寸法より小さく形成する（図６参照）ことによって連結プレート１６、１７を容易に装着することができる。Ｌ字状の鉄筋１２は水平部分をベースプレート１１に隣接した上、ベースプレート１１と全周溶接で接合する。
【００２６】
一方、図７〜８に示すように、本体支柱３の切断した腐蝕部３ａに挿入する連結プレート１５は、第１の連結プレート１６、第２の連結プレート１７との二分割に形成され、いずれも開口部を内側にしたコ字状に形成され、内部に介添え板１８、１９がそれぞれの連結プレート１６、１７と全周溶接にて接合されている。第１の連結プレート１６に内嵌する第１の介添え板１８は、コ字状に形成されて第１の連結プレート１６に対して上方と側方（開口部側）に突出した状態で、第１の連結プレート１６に全周溶接又は点溶接にて接合されている。第２の介添え板１９は、第２の連結プレート１７より側面長さが小幅に形成され上方に突出した状態で、第２の連結プレート１７に全周溶接又は点溶接にて接合されている。
【００２７】
そして、この一対の連結プレート１５を、本体支柱３の切断部位に装着する。この際、それぞれの介添え板１８、１９で２本の鉄筋１２、１２を覆うようにして、第１の連結プレート１６、第２の連結プレート１７のそれぞれの開口部側をお互いに合わせるようにして組付ける。この状態でそれぞれの連結プレート１６、１７の上面と上部支柱３ｂとの合わせ面、それぞれの連結プレート１６、１７同士の合わせ面を全周溶接することによって、図３に示すように、本体支柱３は、上部支柱３ｂと埋設支柱３ｃとが連結プレート１５で連結されて１本の本体支柱３を新たに形成することになる。
【００２８】
なお、連結プレート１５と埋設支柱３ｃとの合わせ面には、鉄筋１２より小径の丸棒状鉄筋２０を全周に巻き付けて全周溶接を行う。
【００２９】
次に、一体となった本体支柱３の溶接部を、薄くならない程度にサンダー等で研磨して表面を平滑上に仕上げる。
【００３０】
さらに、上部支柱３ｂにおける連結プレート１５の上方の位置において、図４に示すように、上部支柱３ｂの長手方向の面の中央位置辺りで孔２１を１箇所穿設する。この孔２１の位置は、上部支柱３ｂにかかる二次モーメントの中立軸となる位置に形成することが望ましい。
【００３１】
孔２１の穿設後、孔２１から液状の強化材としてセメント系無収縮モルタル、例えば、プレユーロックス（太平洋マテリアル（株）製）を注入し、本体支柱３内に充填する。これによって、新たな本体支柱３は、新築時の本体支柱と略同様な強度を保持することができる。この新たな本体支柱３の強度は計算結果で立証されている。
【００３２】
強化材を充填した後、孔２１には、金属パテを充填して孔２１を塞ぎ、本体支柱３全体に錆止め塗装及び仕上げ塗装を行う。
【００３３】
最後に本体支柱３の根元部に形成した斫り部２ａにモルタル充填して形状を復旧する。
【００３４】
上述のように、手摺支柱の補修工法による第１の形態では、本体支柱３の腐蝕部３ａを腐蝕部３ａの上端より上方の位置及び下端位置の下方の位置から切断して、切断部に補強用の一対の鉄筋１２、１２及び連結プレート１５を装着して溶接にて接合するから、本体支柱３全体を取り替える必要がなく、廉価に短期間で補修工事を行うことができる。また、連結プレート１５を装着する際に、二分割したそれぞれの連結プレート１６、１７に、本体支柱３の上部支柱３ｂと接合する介添え板１８、１９を介在することによって、上部支柱３ｂ、連結プレート１５、鉄筋１２、１２、ベースプレート１１を介するパラペット２、とを強固に接合できるから、新築時の本体支柱と同様な強度を保持することができる。しかも、連結プレート１５と埋設支柱３ｃとの間とを、丸棒状鉄筋２０を巻きつけて溶接で接合し、本体支柱３内には強化材を充填するから、さらに手摺支柱の強度を向上することができる。
【００３５】
なお、上述の形態では本体支柱３は角筒状に形成されているが円筒状のものであってもよい。この場合、連結プレート１５は、本体支柱３と同形に形成することになるから、二分割された半円筒状のものを製作することとなる。従って、介添え板も半円筒状に形成されることとなる。また、第１の形態の場合、介添え板をコ字状ではなく平板状に形成してもよい。
【００３６】
さらに、１対の鉄筋は、埋設支柱３ｃ内で並列に配置してもよく、対向する角部に一対配置してもよい。なお、図２〜３の斜視図においては、鉄筋を真直状に表しているが、真直状でもよくＬ字状に形成しているものでもよい。
【００３７】
次に、第２の形態について、図９〜１２に基いて説明する。
【００３８】
第２の形態は、パラペット２内にベースプレートが埋設されていないベランダの手摺支柱１を補修する場合である。この場合、第１の形態で使用する鉄筋１２、１２の代わりに、コンクリートアンカー２５をパラペット２内に打込み、さらにねじ切り異形鉄筋２６を締め付けることによって行なわれることとなる。なお、以下の説明にあたって、第１の形態と同一の部位については、第１の形態と同一の符号を付記するものとする。また、第２の形態の補修工法は、鉄筋１２をコンクリートアンカー及びねじ切り異形鉄筋に変えたものであるから、その他の手順は、原則的に第１の形態に従うものとする。
【００３９】
第１の形態と同様、パラペット２に斫り部２ａを形成した後、図９〜１０に示すように、本体支柱３の腐蝕部３ａをその上端より上方位置及びその下端より下方位置において切断して除去する。本体支柱３には、上部支柱３ｂと埋設支柱３ｃが残されるから、埋設支柱３ｃ内から地盤の下方に向かって、２本のコンクリートアンカー２５、２５を挿入して上方から打込む。打込まれたコンクリートアンカー２５、２５に、上部を上部支柱３ｂ内に挿入し下部にねじを形成したねじ切り異形鉄筋２６、２６を締め込む。ねじ切り異形鉄筋２６、２６は、埋設支柱３ｃ及び上部支柱３ｂ内で溶接にて接合する。
【００４０】
その後、第１の形態と同様の工程を行い、第１の形態と同様の介添え板１８、１９を内嵌した第１の連結プレート１６、第２の連結プレート１７を、本体支柱３の切断部位に装着する。そして、それぞれの連結プレート１６、１７と上部支柱３ｂ及びそれぞれの連結プレート１６、１７との合わせ面を溶接にて接合する。そして、連結プレート１５の下端部と埋設支柱３ｃとの連接部位に丸棒状鉄筋２０を連結プレート１５の全周面に沿って巻きつけて全周溶接を行う。さらに、上部支柱３ｂにおける連結プレート１５との接合部より上方の位置で、つまり上部支柱３ｂの長手方向における二次モーメントの中立軸の位置で孔２１を穿設して、強化材を注入する。
【００４１】
上述のように、第２の形態においても、廉価でしかも短期間で行えるとともに強度は新築時の本体支柱と同様に保持されることとなる。また、第２の形態の場合においても介添え板をコ字状ではなく平板状に形成してもよい。
【００４２】
次に、第３の形態による手摺支柱の補修工法を、図１３〜１４に基づいて説明する。
【００４３】
第３の形態は、本体支柱３に発生した腐蝕部３ａが軽度な場合である。この場合、腐蝕部３ａを切断して除去する必要はないことから、丸棒状鉄筋を溶接するものである。
【００４４】
まず、第１の形態及び第２の形態と同様、パラペット２における本体支柱３の根元部あたりを斫りして斫り部２ａを形成する。
【００４５】
次に、腐蝕部３ａの周りの錆を落とした後、第１の形態又は第２の形態で使用した丸棒状鉄筋２０を本体支柱３の根元部の周りに巻き付けて全周溶接を行う。
【００４６】
次に、腐蝕部３ａの上方の位置で、本体支柱３の長手方向の面の中央部、つまり本体支柱３にかかる断面二次モーメントの中立軸の位置に孔２１を穿設する。そして、本体支柱３を叩きながら本体支柱３内の錆を除去してプレユーロックスを注入し、本体支柱３内に充填する。
【００４７】
その後、孔２１に金属パテを充填して孔２１を塞いだ後、本体支柱３の前面に錆止め塗装を行った後、仕上げ塗装を行う。
【００４８】
さらに、パラペット２の斫り部２ａに補修用モルタルを充填してパラペットを元の形状に復旧する。
【００４９】
上記のように、腐食の程度が軽度な場合は、鉄筋を溶接するだけであるから、極めて廉価で短期間に工事を終了することができる。
【００５０】
次に第４の形態について図１５〜１８に基づいて説明する。
【００５１】
この形態の手摺支柱の補修工法は、第１の形態及び第２の形態で使用する介添え板１８、１９を取り除いて行うものである。つまり、図１５〜１７に示すように、パラペット２内にベースプレート１１が存在している場合、Ｌ字状の２本の鉄筋１２、１２を埋設支柱３ｃ内に挿通してベースプレート１１の上面から上部支柱３ｂ内に立設する。２本の鉄筋１２、１２を結ぶ線の両外寸法は、連結プレート１６、１７を上部支柱３ｂ内に内嵌した後、連結プレート１６、１７の内幅寸法より小さく形成する（図１７参照）ことによって連結プレート１６、１７を容易に装着することができる。Ｌ字状の鉄筋１２は水平部分をベースプレート１１に隣接した上、ベースプレート１１と全周溶接で接合する。
【００５２】
連結プレート１６、１７は接続部位に挿入した後、それぞれの合わせ面で溶接するとともに、連結プレート１６、１７の上面を全周にわたって上部支柱３ｂとの合わせ面で溶接し、連結プレート１６、１７の下端部と埋設支柱３ｃとの連接部位に丸棒状鉄筋２０を連結プレート１６、１７の全周面に沿って巻きつけて全周溶接を行う。
【００５３】
また、パラペット２内にベースプレートが埋設されていないベランダの手摺支柱１を補修する場合は図１８に示すとおりである。鉄筋１２、１２の代わりに、コンクリートアンカー２５をパラペット２内に打込み、さらにねじ切り異形鉄筋２６を締め付けることによって行なわれることとなる。
【００５４】
打込まれたコンクリートアンカー２５、２５に、上部を上部支柱３ｂ内に挿入し下部にねじを形成したねじ切り異形鉄筋２６、２６を締め込む。ねじ切り異形鉄筋２６、２６は、埋設支柱３ｃ及び上部支柱３ｂ内で溶接にて接合する。
【００５５】
そして、連結プレート１６、１７は接続部位に挿入した後、それぞれの合わせ面で溶接するとともに、連結プレート１６、１７の上面を全周にわたって上部支柱３ｂとの合わせ面で溶接し、連結プレート１６、１７の下端部と埋設支柱３ｃとの連接部位に丸棒状鉄筋２０を連結プレート１６、１７の全周面に沿って巻きつけて全周溶接を行う。
【００５６】
この第４の形態によるいずれの補修工法においても、第１の形態及び第２の形態における介添え板１８、１９を取り除いたものであるから、その他の手順は、原則的に第１の形態又は第２の形態に従うものとする。
【００５７】
この形態においても、本体支柱３の腐蝕部３ａを腐蝕部３ａの上端より上方の位置及び下端位置の下方の位置から切断して、切断部に補強用の一対の鉄筋１２、１２又は一対のねじ切り異形鉄筋２６、２６及び連結プレート１５を装着して溶接にて接合するから、本体支柱３全体を取り替える必要がなく、廉価に短期間で補修工事を行うことができる。
【００５８】
なお、図１６に示すように、本体支柱３（上部支柱３ａ）には、第１の形態及び第２の形態と同様に、連結プレート１６、１７の上方の位置で長手方向の面の中央部、つまり本体支柱３にかかる断面二次モーメントの中立軸の位置に孔２１を穿設してプレユーロックスを注入し、本体支柱３内に充填可能にしている。
【図面の簡単な説明】
【００５９】
【図１】ベランダに設置された手摺支柱を示す正面図である。
【図２】第１の形態による補修工法を示す斜視図である。
【図３】図２における本体支柱に連結プレートを接合した状態を示す斜視図である。
【図４】図３における側面図である。
【図５】同正面図である。
【図６】図４におけるVI−VI断面図である。
【図７】図２における介添え板を内嵌した連結プレートを示す平面断面図である。
【図８】同斜視図である。
【図９】第２の形態による補修工法を示す斜視図である。
【図１０】図９における本体支柱に連結プレートを接合した状態を示す斜視図である。
【図１１】図１０における側面図である。
【図１２】同正面図である。
【図１３】第３の形態による補修工法を示す本体支柱の側面図である。
【図１４】同平面断面図である。
【図１５】第４の形態による補修工法を示す斜視図である。
【図１６】図１５における側面図である。
【図１７】同平面断面図である。
【図１８】第４の形態の別の形態を示す斜視図である。
【符号の説明】
【００６０】
１、手摺支柱
２、パラペット（地盤）
２ａ、斫り部
３、本体支柱
３ａ、腐蝕部
３ｂ、上部支柱
３ｃ、埋設支柱
７、手摺
１１、ベースプレート
１２、鉄筋
１５、連結プレート
１６、第１の連結プレート
１７、第２の連結プレート
１８、第１の介添え板
１９、第２の介添え板
２０、丸棒状鉄筋
２１、孔
２５、コンクリートアンカー
２６、ねじ切り異形鉄筋
【図１】
2008063933.tif 000003
【図２】
2008063933.tif 000004
【図３】
2008063933.tif 000005
【図４】
2008063933.tif 000006
【図５】
2008063933.tif 000007
【図６】
2008063933.tif 000008
【図７】
2008063933.tif 000009
【図８】
2008063933.tif 000010
【図９】
2008063933.tif 000011
【図１０】
2008063933.tif 000012
【図１１】
2008063933.tif 000013
【図１２】
2008063933.tif 000014
【図１３】
2008063933.tif 000015
【図１４】
2008063933.tif 000016
【図１５】
2008063933.tif 000017
【図１６】
2008063933.tif 000018
【図１７】
2008063933.tif 000019
【図１８】
2008063933.tif 000020